(57)【要約】【課題】ミスト発生装置のコンパクト化を行う【解決手段】ケーシング２表面に空気の吸込口３と吹出口４を有し、ケーシング内に所定の水位を維持する水受け部ｗと、外周の一部を水面に接触して回転し、水を跳ね上げることでミストを発生させる円板１０と、吸込口から吸込んだ空気に送風して、円板によって発生したミストを吹出口から吹出す送風ファン９とを有し、円板と送風ファンを回転するモーター１１を有し、円板の外周先端には多数の羽根ａを円板の厚さ方向に交互に備えることで、ミストの発生効率を向上し、ミスト発生装置をコンパクトにする【選択図】図２
2020122609.tif 000002
【特許請求の範囲】
【請求項１】
ケーシング表面に空気の吸込口と吹出口を有し、
前記ケーシング内に所定の水位を維持する水受け部と、
外周の一部を水面に接触して回転し、水を跳ね上げることでミストを発生させる円板と、
前記円板の回転軸と同軸で、前記吸込口から吸込んだ空気に送風して、前記円板によって発生したミストを前記吹出口から吹出す送風ファンとを有し、
前記円板と前記送風ファンを回転するモーターを有し、
前記円板の前記外周先端には多数の羽根ａを前記円板の厚さ方向に交互に備えることを特徴とするミスト発生装置。
【請求項２】
前記円板の厚さ方向の外側に突出して、更に多数の羽根ｂを交互に備えることを特徴とする請求項１に記載のミスト発生装置。
【請求項３】
前記羽根ｂは前記円板の回転方向とは逆の方向に傾斜して備えることを特徴とする請求項２に記載のミスト発生装置。
【発明の詳細な説明】
【技術分野】
【０００１】
本発明は、ナノミストと負イオンを室内に放出して室内の加湿や空気清浄を行うミスト発生装置に関するものである。
【背景技術】
【０００２】
従来例として、大型のケーシングの内部にモーターからの回転軸に、水巻上げ孔とエッジ を有する複数枚のディスクを備え、このディスクの回転で水を巻き上げ、外側のメッシュのケージにてミスト化して部屋中に適度な湿度とマイナスイオンを放出し、細菌の補足を行うミスト発生装置が有った。（例えば、特許文献１参照。）
【先行技術文献】
【特許文献】
【０００３】
【特許文献１】特開２００１−４６９２２号公報
【発明の概要】
【発明が解決しようとする課題】
【０００４】
このようなミスト発生装置は、大きすぎるために家庭用の空気調和機や暖房器に組み込んで使用することはできために、コンパクト化を必要としていた。
【課題を解決するための手段】
【０００５】
上記課題を解決するために、本発明では、ケーシング表面に空気の吸込口と吹出口を有し、
前記ケーシング内に所定の水位を維持する水受け部と、
外周の一部を水面に接触して回転し、水を跳ね上げることでミストを発生させる円板と、
前記円板の回転軸と同軸で、前記吸込口から吸込んだ空気に送風して、前記円板によって発生したミストを前記吹出口から吹出す送風ファンとを有し、
前記円板と前記送風ファンを回転するモーターを有し、
前記円板の前記外周先端には多数の羽根ａを前記円板の厚さ方向に交互に備えるものである。
【発明の効果】
【０００６】
本発明では、円板の外周先端に多数の羽根ａを前記円板の厚さ方向に交互に備えることで、ミストの発生を効率の良く行うことができるので、ミスト発生装置をコンパクト化することができる。
また、前記円板の厚さ方向の外側に突出して、更に多数の羽根ｂを交互に備えることで、更にミストの発生を効率の良く行うことができる。
また、前記羽根ｂは前記円板の回転方向とは逆の方向に傾斜して備えることで、羽根ｂが水面に衝突して発生する騒音を小さくすることができる。
【図面の簡単な説明】
【０００７】
【図１】本実施形態におけるミスト発生装置の斜視図。
【図２】同モーター軸の中心を通る左側面方向の断面図。
【図３】同モーター軸の中心を通る右側面方向の断面図。
【図４】同図２のＡ−Ａ断面図。
【図５】同円板の正面図。
【図６】同円板の斜視図。
【図７】他の実施例の円板を示す側面方向の略図。
【図８】他の実施例の円板を示す側面方向の略図。
【発明を実施するための形態】
【０００８】
本発明の一実施形態のミスト発生装置を図１から５に基づいて説明する。
【０００９】
１はこの実施形態のミスト発生装置で、家庭用のエアコンや暖房機に組み込んで使用される。２はミスト発生装置１の外枠を形成するケーシングで、上面に空気の吸込口３と、ミストを含んだ空気を吹出す吹出口４を有している。
【００１０】
ケーシング２は底面と背面と左右側面とを一体に形成するベース３０と、前面を形成する前パネル３１と、上面を形成する上パネル３２を有している。
【００１１】
５は仕切板で、ケーシング２内を前後に仕切ることで、前方に空気導入室６を、後方で下部の水受け部ｗに所定の水位を維持する水跳ね室７を形成する。また、仕切板５の略中央は円形に開口した吸込孔８を有している。９は遠心ファン型の送風ファンで、吸込孔８の後方の水跳ね室７内に位置し、吸込孔８から吸込んだ空気を吹出口４側へ吹出すものである。
【００１２】
１０は送風ファン９の後部に有する円板で、外周の先端に有する多数の羽根ａを水面に接触して回転し、水を跳ね上げることでミストを発生させる。この羽根ａは円板１０の回転方向と垂直に形成される。また、円板１０は各々の羽根ａの面積を小さくして多数の羽根ａを厚さ方向に交互に備えることで羽根ａが水面に衝突することで発生する騒音を小さくすることができる。円板１０はケーシング２の背面に備えるモーターで、回転軸１２がベース３０を貫通して備えられ、モーター１１の回転で送風ファン９と円板１０が回転する。また、円板１０の直径は約６０ｍｍで厚さ８ｍｍで、先端の羽根ａは５ｍｍ（高さ）×５ｍｍ（横）×１．５ｍｍ（厚さ）で先端部分をＲ形状に加工している。
【００１３】
前記送風ファン９の右側にはベース３０のから一体に立ち上がって形成される右ガイド３３を有し、送風ファン９の左側には同じくベース３０のから一体に立ち上がって形成される左ガイド３４を有し、送風ファン９との間に適宜間隔備えて形成される。送風ファン９と円板１０が図３の破線矢印方向に回転する。（左回転）これによって、効率よく送風が行われると共に、羽根ａによって跳ね上げられた水滴がケーシング２や仕切板５等の壁面に衝突することでミストが発生し、送風と一緒に吹出口４から吹き出す。このように、円板１０の外周先端に多数の羽根ａを円板１０の厚さ方向に交互に備えることで、ミストの発生を効率の良く行うことができるので、ミスト発生装置１をコンパクト化することができる。
【００１４】
前記水跳ね室７の水受け部ｗ側面には給水口３５を有し、給水管３６が接続される。給水管３６の先にはカートリッジタンク等による給水手段（図示せず）が備えられ、水受け部ｗの水位が維持される。
【００１５】
図６−７を基に他の実施例の円板１０について説明する。円板１０先端に備える羽根ａの厚さ方向（前後方向）の外側に突出して、更に多数の羽根ｂを円板１０の厚み方向の中心側を回転方向の前側、円板１０の厚み方向の外側を回転方向の後側となるように、交互に備えることで、ミストの発生量を増加し、更にミストの発生を効率の良く行うことができる。また、羽根ｂを円板１０の厚み方向の中心側を回転方向の前側、円板１０の厚み方向の外側を回転方向の後側となるように、円板１０の回転方向とは逆の方向に傾斜してさせることで、羽根ｂが水面に衝突して発生する騒音を小さくすることができる。
【００１６】
次にこの一実施形態の作動について説明する。
モータ−１２が回転すると、送風ファン９と円板１０が回転する。これによって、吸込口３から吸い込まれた空気は仕切板５の吸込孔８から送風ファン９を通過し吹出口４から吹き出される。これと同時に円板１０先端の羽根ａ・ｂが水を跳ね上げ、この跳ね上げられた水滴がケーシング２や仕切板５の壁面に衝突することでミストが発生し、送風と一緒に吹出口４から吹き出すものである。
【００１７】
以上のように本発明によれば、円板１０の外周先端に多数の羽根ａを円板１０の厚さ方向に交互に備えることで、ミストの発生を効率の良く行うことができるので、ミスト発生装置１をコンパクト化することができる。
また、円板１０の厚さ方向の外側に突出して、更に多数の羽根ｂを交互に備えることで、更にミストの発生を効率の良く行うことができる。
また、羽根ｂは円板１０の回転方向とは逆の方向に傾斜して備えることで、羽根ｂが水面に衝突して発生する騒音を小さくすることができる。
【００１８】
また、本実施形態では送風ファン９と円板１０を一体の構造で説明したが、送風ファン９と円板１０を別体に備えても良く、送風ファン９を遠心ファンで説明したが、プロペラファン等違う種類のファンを使用しても良い。
【００１９】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２０】
１  ミスト発生装置
２  ケーシング
３  吸込口
４  吹出口
５  仕切板
９  送風ファン
１０  円板
１１  モーター
ａ  羽根
ｂ  羽根
ｗ  水受け部
【図１】
2020122609.tif 000003
【図２】
2020122609.tif 000004
【図３】
2020122609.tif 000005
【図４】
2020122609.tif 000006
【図５】
2020122609.tif 000007
【図６】
2020122609.tif 000008
【図７】
2020122609.tif 000009
【図８】
2020122609.tif 000010